(57)【特許請求の範囲】
【請求項１】
遊技台ごとに設けられる各台装置を有する遊技媒体管理システムであって、
前記各台装置に設けられた各台計数部において遊技客が獲得した獲得遊技媒体を計数した持玉数を前記遊技客が所持する記録媒体の識別情報に関連付けて遊技媒体の貸出レートごとに記憶する持玉記憶手段
を備え、
前記各台装置は、
前記記録媒体の識別子を取得する識別子取得手段と、
前記識別子取得手段によって取得された前記記録媒体の識別子に基づいて前記持玉記憶手段によって記憶される前記持玉数を取得する持玉情報取得手段と、
前記持玉情報取得手段によって取得された前記持玉数に基づいて前記遊技媒体の払出処理を行う払出処理手段と、
当該各台装置の前記貸出レートに対応する前記持玉数が所定の払出数に満たない、かつ、所定の条件を満たす場合に、他の貸出レートに対応する前記持玉数に基づいて前記遊技媒体の払出を行うよう乗入を指示する乗入指示手段と
を備えたことを特徴とする遊技媒体管理システム。
【請求項２】
前記乗入が可能であるか否かを前記貸出レートごとに設定する可否設定手段と、
前記持玉記憶手段によって記憶される前記貸出レートの中で何れの貸出レートから順に前記遊技媒体の払出を行うかを設定する優先順位設定手段と
をさらに備え、
前記乗入指示手段は、
前記可否設定手段によって前記乗入が可能である前記貸出レートのなかで最も順位が高い前記貸出レートを乗入元レートとして決定し、決定した前記乗入元レートとともに乗入指示を行うことを特徴とする請求項１に記載の遊技媒体管理システム。 
【請求項３】
前記遊技媒体の払出に伴う所定の手数料を前記貸出レートごとに設定する手数料設定手段と、
前記乗入指示手段によって前記乗入元レートとともに前記乗入指示を受け付けた際、払出される前記遊技媒体数に加えて、前記手数料設定手段によって設定された前記手数料に相当する前記遊技媒体数を前記持玉記憶手段によって記憶される前記乗入元レートに対応する前記持玉数から減算する減算手段と
をさらに備えたことを特徴とする請求項２に記載の遊技媒体管理システム。 
【請求項４】
遊技店の会員を識別する会員識別情報に関連付けて会員が貯蓄した遊技媒体数を貯玉数として前記遊技媒体の貸出レートごとに記憶する貯玉記憶手段と、
所定の貯玉移行指示を受け付けた場合に、前記持玉記憶手段によって記憶される会員の持玉数を当該持玉数の貸出レートに対応する前記貯玉数へ移行する移行手段と
をさらに備えたことを特徴とする請求項１〜３のいずれか一つに記載の遊技媒体管理システム。 
【請求項５】
前記各台装置は、
前記持玉情報取得手段によって取得された前記持玉数を前記遊技媒体の貸出レートごとに報知する報知手段
をさらに備えたことを特徴とする請求項１〜４のいずれか一つに記載の遊技媒体管理システム。
【発明の詳細な説明】
【技術分野】
【０００１】
この発明は、遊技台ごとに設けられる各台装置を有する遊技媒体管理システムに関し、特に、遊技店の会員のみならず非会員の遊技客をも満足させるサービスを提供することができる遊技媒体管理システムに関するものである。
【背景技術】
【０００２】
従来、パチンコ店等の遊技店において提供されるサービスのひとつに、遊技媒体の複数レートによる運用サービスがある。複数レートによる運用サービスとは、遊技媒体の貸出レートの異なる遊技島を遊技店内に複数設ける等するもので、遊技店は多様な娯楽性を遊技客へ提供することができる。ここで、「貸出レート」とは遊技媒体の貸出を行う際の遊技媒体の単位当たりの価格のことである。
【０００３】
また、遊技店において提供される別のサービスのひとつに、貯玉サービスがある。貯玉サービスとは、遊技店会員（以下、「会員」と記載する）が獲得した遊技媒体を遊技店に遊技媒体価値（以下、「貯玉」と記載する）として預け入れることができるというものである。
【０００４】
そして、会員は、再来店時に貯玉によって遊技媒体の払出しを行い遊技を行うこと、すなわち、再プレイ（再遊技）することができる。なお、再プレイ時には、暗証番号の照合が必要とされる。
【０００５】
また、貯玉は、上述した貸出レートごとの貯玉口座として管理されている。したがって、会員が貸出レートの異なる複数の遊技島で獲得した遊技媒体を貯玉した場合、会員は、レートの異なる複数の貯玉口座を有することとなる。
【０００６】
そして、複数の貯玉口座を有する会員は、再プレイを行う際、遊技を行おうとする遊技島の貸出レートとは異なるレートの貯玉口座によって遊技媒体の貸し出しを受けることができる（以下、「乗り入れ」と記載する）。
【０００７】
たとえば、特許文献１には、１玉４円レートおよび１玉１円レートの貯玉をそれぞれ１００玉ずつ有する会員が、４円レートの遊技島内の遊技媒体貸出装置を利用する場合、４円レートで換算した合計貯玉数１２５玉（＝１００玉＋１００玉／４）を再プレイ可能な遊技媒体数として会員に報知し、遊技媒体の貸し出しを行う遊技媒体貸出装置が開示されている。
【先行技術文献】
【特許文献】
【０００８】
【特許文献１】特開２００９−０４５３６３号公報
【発明の概要】
【発明が解決しようとする課題】
【０００９】
しかしながら、従来の遊技媒体管理システムでは、遊技店の会員となった遊技客は、乗り入れ再プレイを行うことができたが、非会員の遊技客（以下、「一般客」と記載する）は、乗り入れ再プレイを行うことができないという問題があった。
【００１０】
何故なら、上述した乗り入れ再プレイを行うことができる貯玉サービスは、遊技店の会員に対してのみ提供されているため、一般客は、乗り入れ再プレイを行うことができなかった。
【００１１】
また、遊技客が獲得した遊技媒体（以下、「持玉」と記載する）の数が関連付けられた記録媒体、たとえば、一般客に対して発行された一般カードを用いて、乗り入れすることができないという問題があった。
【００１２】
これらのことから、非会員の遊技客であっても、記録媒体に関連付けられた持玉数の貸出レートとは異なる貸出レートの遊技台での再プレイすること、すなわち、乗り入れ再プレイすることができる遊技媒体管理システムをいかにして実現するかが大きな課題となっている。
【００１３】
この発明は、上述した従来技術による問題点を解消するためになされたものであって、遊技店の会員のみならず一般客をも満足させるサービスを提供することができる遊技媒体管理システムを提供することを目的とする。
【課題を解決するための手段】
【００１４】
上述した課題を解決し、目的を達成するため、本発明は、遊技台ごとに設けられる各台装置を有する遊技媒体管理システムであって、前記各台装置に設けられた各台計数部において遊技客が獲得した獲得遊技媒体を計数した持玉数を前記遊技客が所持する記録媒体の識別情報に関連付けて遊技媒体の貸出レートごとに記憶する持玉記憶手段を備え、前記各台装置は、前記記録媒体の識別子を取得する識別子取得手段と、前記識別子取得手段によって取得された前記記録媒体の識別子に基づいて前記持玉記憶手段によって記憶される前記持玉数を取得する持玉情報取得手段と、前記持玉情報取得手段によって取得された前記持玉数に基づいて前記遊技媒体の払出処理を行う払出処理手段と、当該各台装置の前記貸出レートに対応する前記持玉数が所定の払出数に満たない、かつ、所定の条件を満たす場合に、他の貸出レートに対応する前記持玉数に基づいて前記遊技媒体の払出を行うよう乗入を指示する乗入指示手段とを備えたことを特徴とする。
【００１５】
また、本発明は、上記の発明において、前記乗入が可能であるか否かを前記貸出レートごとに設定する可否設定手段と、前記持玉記憶手段によって記憶される前記貸出レートの中で何れの貸出レートから順に前記遊技媒体の払出を行うかを設定する優先順位設定手段とをさらに備え、前記乗入指示手段は、前記可否設定手段によって前記乗入が可能である前記貸出レートのなかで最も順位が高い前記貸出レートを乗入元レートとして決定し、決定した前記乗入元レートとともに乗入指示を行うことを特徴とする。
【００１６】
また、本発明は、上記の発明において、前記遊技媒体の払出に伴う所定の手数料を前記貸出レートごとに設定する手数料設定手段と、前記乗入指示手段によって前記乗入元レートとともに前記乗入指示を受け付けた際、払出される前記遊技媒体数に加えて、前記手数料設定手段によって設定された前記手数料に相当する前記遊技媒体数を前記持玉記憶手段によって記憶される前記乗入元レートに対応する前記持玉数から減算する減算手段とをさらに備えたことを特徴とする。
【００１７】
また、本発明は、上記の発明において、遊技店の会員を識別する会員識別情報に関連付けて会員が貯蓄した遊技媒体数を貯玉数として前記遊技媒体の貸出レートごとに記憶する貯玉記憶手段と、所定の貯玉移行指示を受け付けた場合に、前記持玉記憶手段によって記憶される会員の持玉数を当該持玉数の貸出レートに対応する前記貯玉数へ移行する移行手段とをさらに備えたことを特徴とする。
【００１８】
また、本発明は、上記の発明において、前記各台装置は、前記持玉情報取得手段によって取得された前記持玉数を前記遊技媒体の貸出レートごとに報知する報知手段をさらに備えたことを特徴とする。
【発明の効果】
【００１９】
本発明によれば、遊技台ごとに設けられる各台装置を有する遊技媒体管理システムであって、各台装置に設けられた各台計数部において遊技客が獲得した獲得遊技媒体を計数した持玉数を該遊技客が所持する記録媒体の識別情報に関連付けて遊技媒体の貸出レートごとに記憶し、記録媒体の識別子を各台装置が取得し、取得された記録媒体の識別子に基づいて記憶される持玉数を各台装置が取得し、取得された持玉数に基づいて遊技媒体の払出処理を各台装置が行い、当該各台装置の貸出レートに対応する持玉数が所定の払出数に満たない、かつ、所定の条件を満たす場合に、他の貸出レートに対応する持玉数に基づいて遊技媒体の払出を行うよう乗入を指示することとしたので、記録媒体に関連付けられた持玉数の貸出レートとは異なるレートの遊技台であっても持玉による遊技を実現することができるという効果を奏する。
【００２０】
また、本発明によれば、乗入が可能であるか否かを貸出レートごとに設定し、記憶される貸出レートの中で何れの貸出レートから順に遊技媒体の払出を行うかを設定し、乗入が可能である貸出レートのなかで最も順位が高い貸出レートを乗入元レートとして決定し、決定した乗入元レートとともに乗入指示を行うこととしたので、遊技店が行うイベントとして、手数料無料にする、または、いずれのレート間をまたがる乗入を自由に行える等のサービスが挙げられるが、かかるイベントに柔軟に対応することができるとともに、遊技客に対して提供するサービスの向上を図ることができるという効果を奏する。
【００２１】
また、本発明によれば、遊技媒体の払出に伴う所定の手数料を貸出レートごとに設定し、乗入元レートとともに乗入指示を受け付けた際、払出される遊技媒体数に加えて、設定された手数料に相当する遊技媒体数を記憶される乗入元レートに対応する持玉数から減算することとしたので、乗入が行われた場合であっても貸出レートごとに持玉数を管理することができるとともに遊技店が不利益を被ることがないという効果を奏する。
【００２２】
また、本発明によれば、遊技店の会員を識別する会員識別情報に関連付けて会員が貯蓄した遊技媒体数を貯玉数として遊技媒体の貸出レートごとに記憶し、所定の貯玉移行指示を受け付けた場合に、記憶される会員の持玉数を当該持玉数の貸出レートに対応する貯玉数へ移行することとしたので、遊技店の会員が持玉数を預け入れる操作を忘れて帰ってしまった場合であっても、遊技客に対して不利益が生じることがないという効果を奏する。
【００２３】
また、本発明によれば、取得された持玉数を遊技媒体の貸出レートごとに各台装置が報知することとしたので、遊技客は、いずれのレートから払出が行われているかを簡単な操作によって確認することができるという効果を奏する。
【図面の簡単な説明】
【００２４】
【図１】図１は、本発明に係る遊技媒体管理システムの概要を示す図である。
【図２】図２は、本実施例に係る遊技媒体管理システムの構成を示すブロック図である。
【図３】図３は、各台装置の外観図である。
【図４】図４は、本実施例に係る遊技媒体管理システムのシステム構成図である。
【図５】図５は、設定情報の一例を示す図である。
【図６】図６は、持玉情報の一例を示す図である。
【図７】図７は、各台装置および管理装置が実行する乗入処理手順の概要を示すシーケンス図である。
【図８】図８は、各台装置が実行する乗入判定処理手順の概要を示すフローチャートである。
【発明を実施するための形態】
【実施例】
【００２５】
以下に添付図面を参照して、本発明に係る遊技媒体管理システムの好適な実施例を詳細に説明する。なお、以下では、本発明に係る遊技媒体管理システムの概要について図１を用いて説明した後に、本発明に係る遊技媒体管理システムについての実施例を図２〜図８を用いて説明することとする。
【００２６】
まず、本発明に係る遊技媒体管理システムの概要について図１を用いて説明する。図１は、本発明に係る遊技媒体管理システムの概要を示す図である。なお、図１の（Ａ）には、従来技術に係る遊技媒体管理システムを、図１の（Ｂ）には、本発明に係る遊技媒体管理システムを、それぞれ示している。
【００２７】
図１の（Ａ）に示すように、従来技術に係る遊技媒体管理システムでは、一般カードや会員カード（以下、単に「カード」と記載する）に関連付けられた持玉数の貸出レートとは異なる貸出レートのパチンコ機で、かかるカードを用いて再プレイできない。
【００２８】
具体的には、従来技術に係る遊技媒体管理システムでは、遊技客が１円レートの持玉数１０００玉が関連付けられたカードを持参して４円レートのパチンコ機へ移動して各台装置へカードを挿入した場合、１円レートのカードは受け付けられず、返却されてしまう（図１の（Ａ−１）参照）。
【００２９】
したがって、従来技術に係る遊技媒体管理システムでは、遊技客は１円レートの持玉数が関連付けられたカードを用いて４円レートのパチンコ機で遊技することができない。つまり、持玉か関連付けられたカードのみを利用する一般客は、レート間をまたがって再プレイすることができないこととなる。
【００３０】
そこで、本発明に係る遊技媒体管理システムでは、図１の（Ｂ）に示すように、カードには、複数レートの持玉数がレートごとに関連付けることができるようにした。また、本発明に係る遊技媒体管理システムでは、パチンコ機の貸出レートの持玉数が所定数に満たない場合、他の貸出レートの持玉数から乗り入れることによって、再プレイすることができるようにした。
【００３１】
以下では、遊技客が「１円レートの持玉数１０００玉」および「４円レートの持玉数０玉」が関連付けられたカードを持参して４円レートのパチンコ機へ移動して各台装置へカードを挿入する場合について説明する。
【００３２】
この場合、４円レートのパチンコ機に併設される各台装置では、まず挿入されたカードを受け付ける（図１の（Ｂ−１）参照）。そして、本発明に係る遊技媒体管理システムでは、持玉払出ボタン押下により、持玉によるパチンコ玉の払出指示を受け付けたならば、乗り入れするか否かを判定する。
【００３３】
具体的には、各台装置は、パチンコ機のレート（４円）と同じレートの持玉数を保有しているか否かを判定する。そして、各台装置は、４円の持玉数を保有していない場合に、他のレート（ここでは１円）に関連付けられた持玉数を用いて、乗り入れを行う（図１の（Ｂ−２）参照）。
【００３４】
本発明に係る遊技媒体管理システムでは、乗り入れ払出では、払出数を、パチンコ機のレートから他の持玉数のレート（１円）へ換算し、乗入手数料に相当するパチンコ玉数とともに保有する持玉数から減算する。
【００３５】
たとえば、１００玉のパチンコ玉の払出を行う際、１円レートから乗り入れて、かつ、乗入手数料を１０％とした場合について説明する。この場合、各台装置は、図１の（Ｂ−２）に示したように、１００玉を１円レートへ換算し（４００玉＝１００玉×４円／１円）、乗入手数料の１０％を上乗せして（４４０玉＝４００玉＋４００玉×１０％／１００）、減算数を算出する。
【００３６】
そして、各台装置は、１円レートの持玉数１０００玉から算出した減算数である４４０玉を減算し、１円レートの持玉数の残数は、５６０玉（５６０玉＝１０００玉−４４０玉）となる。ここで、一時的に「１円レートの持玉数：５６０玉、４円レートの持玉数：１００玉」となり、ノズルから１００玉のパチンコ玉が払出されて、「１円レートの持玉数：５６０玉、４円レートの持玉数：０玉」となる（図１の（Ｂ−３）参照）。なお、１円レートの持玉数から直接減算してパチンコ玉を払出すこととしてもよい。また、パチンコ玉をパチンコ機から払出してもよい。
【００３７】
また、遊技客の獲得したパチンコ玉を計数する各台計数機能を有する各台装置では、計数した持玉数を、パチンコ機のレート（４円）に対応する持玉数としてカードへ関連付ける。
【００３８】
たとえば、図１の（Ｂ−４）に示したように、４円レートのパチンコ機に併設される各台装置で持玉数２０００玉が計数された場合、挿入されているカードへ４円レートの持玉数として２０００玉関連付けられることとなる。これによって、遊技客は、４円レートの持玉数を保有している間は、１円レートから乗り入れを行わずに、４円レートの持玉数によってパチンコ玉を払出すことができる。
【００３９】
このようにすることで、本発明に係る遊技媒体管理システムでは、会員のみならず非会員の遊技客であっても、記録媒体に関連付けられた持玉数の貸出レートとは異なる貸出レートの遊技台での再プレイすること、すなわち、乗り入れ再プレイすることができる。以下では、図１を用いて説明した本発明に係る遊技媒体管理システムについての実施例を詳細に説明する。
【００４０】
図２は、本実施例に係る遊技媒体管理システムの構成を示すブロック図である。同図に示すように、遊技媒体管理システムは、各台装置１０と、管理装置２０と、貯玉管理装置３０とを含んでいる。なお、図２では、各台装置１０、管理装置２０および貯玉管理装置３０の特徴点を説明するために必要な構成要素のみを抜粋して示している。
【００４１】
まず、各台装置１０について説明する。図２に示すように、各台装置１０は、通信Ｉ／Ｆ（インターフェース）１１と、カードＲ／Ｗ部（リーダ／ライタ）１２と、表示操作部１３と、記憶部１４と、制御部１５とを備えている。また、制御部１５は、持玉情報取得部１５ａと、乗入判定部１５ｂと、乗入指示部１５ｃと、持玉払出部１５ｄとをさらに備えており、記憶部１４は、持玉情報１４ａと、設定情報１４ｂとを記憶する。
【００４２】
通信Ｉ／Ｆ１１は、管理装置２０またはパチンコ機４０との間で通信データの送受信を行う通信デバイスで構成されている。たとえば、通信Ｉ／Ｆ１１は、各台装置１０へ挿入されたカードに関連付けられた持玉数を取得する際、カードの識別子（以下、「カードＩＤ」と記載する）を管理装置２０へ送信する。
【００４３】
カードＲ／Ｗ部１２は、遊技客が獲得したパチンコ玉の計数値（以下、「持玉」と記載する）、貯玉およびプリペイド価値（以下、「残額」と記載する）が関連付けられた会員カード、および、持玉や残額が関連付けられた一般カードの発行または受け付けを行う。
【００４４】
たとえば、カードＲ／Ｗ部１２は、カードを所有する遊技客が再プレイする場合は、持玉が関連付けられたカードを受け付け、カードＩＤを読み込み、持玉情報取得部１５ａへ渡す。
【００４５】
一方、制御部１５では、受け付けたカードＩＤに関連付けられている持玉数を管理装置２０から取得し、各台装置１０は、持玉数によってパチンコ玉の払出しを行う、すなわち、持玉再プレイすることができる。
【００４６】
さらに、制御部１５では、受け付けたカードＩＤ（会員カード限定）に関連付けられている貯玉数を管理装置２０経由で貯玉管理装置３０から取得し、各台装置１０は、取得した貯玉数によってパチンコ玉の払出しを行うことによって、カード会員は貯玉再プレイすることとなる。なお、制御部１５は、カードＩＤを貯玉管理装置３０へ直接送信して貯玉数を取得することとしてもよい。
【００４７】
また、カードＲ／Ｗ部１２には、予め数枚の一般カードが装填されており、非会員の遊技客によってカード返却ボタンが押下された場合に、カードＩＤに対応付けて持玉数または残額を関連付けた一般カードを排出（発行）する。
【００４８】
一方、カードＲ／Ｗ部１２へ会員カードを挿入して遊技を行っているカード会員によってカード返却ボタンが押下された場合には、カードＲ／Ｗ部１２は、会員カードのカードＩＤに対応付けて貯玉数、持玉数、または、残額を関連付けて会員カードを返却する。
【００４９】
なお、本実施例に係る遊技媒体管理システムでは、カードや会員カードのカードＩＤに関連付けて持玉数や貯玉数を管理することとした。しかし、カードや会員カードの替わりに遊技客の所有する携帯端末を、各台装置１０に備える図示しない携帯読取部にタッチされた場合に、携帯端末の識別子であるＩＤｍを読み取ることとしてもよい。
【００５０】
この場合、管理装置２０や貯玉管理装置３０では、ＩＤｍに関連付けて持玉数や貯玉数を管理することとなり、制御部１５では、ＩＤｍに基づいてＩＤｍに関連付けられている持玉数や貯玉数を取得し、パチンコ玉の払出しを行う。
【００５１】
また、管理装置２０や貯玉管理装置３０は、ＩＤｍの替わりとして携帯端末を一意に識別することができる情報、たとえば、電話番号やメールアドレスに関連付けて持玉数や貯玉数を管理してもよい。
【００５２】
表示操作部１３は、遊技客によって挿入されたカードのカードＩＤに関連付けられた持玉数や貯玉数を貸出レートごとに表示する表示部と、カード返却操作、パチンコ玉の払出指示操作、貯玉操作といった各種操作を受け付ける操作部とを備えている。
【００５３】
たとえば、表示操作部１３は、貯玉数によるパチンコ玉の払出指示操作を受け付ける貯玉払出ボタンを備え、払出指示操作によってパチンコ玉の払出とともに貯玉数から払出数が減算され、貯玉数の残数を表示する。また、表示操作部１３は、貯玉再プレイ時に用いられる暗証番号入力用のテンキーを備える。
【００５４】
なお、表示操作部１３での表示や操作を行う構成部品を限定する必要はない。したがって、指やポインティングデバイスなどの押圧感知により入力を受け付け、かつ表示出力も兼ねるタッチパネル式の液晶ディスプレイなどを用いることとしてもよいし、簡素な表示出力を行う７セグメントＬＥＤなどを表示部品として用いることとしてもよい。
【００５５】
ここで、各台装置１０の概要構成を説明するために、図３を用いて各台装置１０の外観について説明しておく。図３は、遊技客の獲得した遊技媒体を計数する各台計数機能を有する各台装置１０の外観図である。なお、同図には、各台装置１０が併設されたパチンコ機４０を破線で示している。
【００５６】
図３に示すように、各台装置１０は、各台装置１０の装置状態を所定色のランプの点灯あるいは点滅で表示する状態表示部４１と、パチンコ玉の払出のための各種紙幣を受け付ける紙幣挿入部４２とを備えている。
【００５７】
また、各台装置１０は、貯玉払出操作等を受け付ける表示操作部１３を備えている。各台装置１０は、会員カードを受け付けて、暗証番号の照合後、表示操作部１３に設けられる図示しない貯玉払出ボタンが押下された場合には、会員カードのカードＩＤに関連付けられた貯玉数から払出数を減算して、パチンコ機４０からパチンコ玉を投出する。
【００５８】
また、各台装置１０は、パチンコ玉を払い出すノズルを備えた持玉払出部４４と、持玉数や貯玉数が関連付けられたカードの受け付け、会員カードの返却、一般カードの発行を行うカードＲ／Ｗ部１２とを備えている。なお、カードＲ／Ｗ部１２の内部には、数枚の一般カードが収納されているものとする。
【００５９】
さらに、各台装置１０は、携帯端末の識別子であるＩＤｍを読み取る携帯読取部４５と、獲得玉を計数する玉計数部４６と、獲得玉を貯留する玉貯留部４７とを備えている。各台装置１０は、同図に示すパチンコ機４０の下皿４８から獲得玉を玉貯留部４７へ誘導し、玉計数部４６で獲得玉の数量を計数する各台計数機能を有する。玉貯留部４７には、持玉数を表示する持玉表示部４７ａと、持玉の払出しを指示する持玉払出ボタン４７ｂが配置される。
【００６０】
そして、各台装置１０は、持玉払出ボタン４７ｂが押下された場合には、玉計数部４６で計数された計数値から払出数を減算して、ノズルを備えた持玉払出部４４経由でパチンコ機４０へパチンコ玉を投出する。持玉を払出す際には、暗証番号の照合は必要ない。なお、持玉払出部４４はなくてもよく、その場合は、貯玉と同様にパチンコ機４０から持玉を投出するようにしてもよい。
【００６１】
また、パチンコ機４０の上皿４９には、各台装置１０の制御部１５と電気的に接続されている玉貸ボタンとカード返却ボタンが設けられており、玉貸ボタンが押下された場合は、所定額に応じた数のパチンコ玉をパチンコ機４０から投出する。
【００６２】
この場合、各台装置１０は、紙幣挿入部４２へ挿入された各種紙幣の残額あるいはカードＲ／Ｗ部１２に挿入されたカードに関連付けられた残額から所定額を減算する。カード返却ボタンが押下されると、持玉や残額が関連付けられたカードが、カードＲ／Ｗ部１２から返却（排出）される。
【００６３】
なお、本実施例では、各台計数機能と玉貸機能とを兼ね備えた１台の各台装置１０に対して本発明を適用した場合について説明したが、各台計数機能を有する第１の各台装置（計数サンド）と、玉貸機能を有する第２の各台装置（ＣＲユニット）とを併設するシステム（ダブルサンド方式）に対して本発明を適用することとしてもよい。
【００６４】
図２の説明に戻り、各台装置１０についての説明をつづける。記憶部１４は、不揮発性メモリやハードディスクドライブといった記憶デバイスで構成される記憶部である。この記憶部１４は、カードＩＤに関連付けて貸出レートごとに持玉数を持玉情報１４ａとして記憶する。
【００６５】
また、持玉情報１４ａは、カードＩＤに関連付けて残額を記憶する。さらに、記憶部１４は、乗り入れに関する条件を設定情報１４ｂとして記憶する。なお、持玉情報１４ａおよび設定情報１４ｂの詳細については後述することとする。
【００６６】
制御部１５は、各台装置１０の全体制御を行う制御部である。持玉情報取得部１５ａは、カードＲ／Ｗ部１２へ挿入されたカードのカードＩＤに基づいて持玉情報２２ａおよび設定情報２２ｂを取得する処理を行う処理部である。また、持玉情報取得部１５ａは、取得した情報を記憶部１４の持玉情報１４ａおよび設定情報１４ｂへ記憶する処理を併せて行う。
【００６７】
乗入判定部１５ｂは、持玉払出ボタン４７ｂ押下によって持玉の払出指示を受け付けた場合に、乗り入れするか否かの判定処理を行う処理部である。具体的には、乗入判定部１５ｂは、持玉情報１４ａおよび設定情報１４ｂに基づいてパチンコ機４０の貸出レートと同じレートの持玉数が払出数に満たない場合に、乗り入れすると判定する。
【００６８】
また、乗入判定部１５ｂは、持玉情報１４ａおよび設定情報１４ｂに基づいて乗入元のレート（以下、「乗入元レート」と記載する）を決定する。なお、乗入判定処理の詳細については後述することとする。
【００６９】
乗入判定部１５ｂは、乗り入れすると判定した場合、その旨を表示操作部１３へ報知し、表示操作部１３から乗入許諾操作を受け付けたならば、乗入指示部１５ｃへ乗入元レートとともに乗入指示を渡す処理を併せて行う。また、乗入判定部１５ｂは、乗り入れしないと判定した場合、パチンコ機４０の貸出レートと同じレートの持玉だけを用いてパチンコ玉を払出すよう持玉払出部１５ｄへ指示する。
【００７０】
乗入指示部１５ｃは、乗入判定部１５ｂからの乗入指示を受け付けたならば、管理装置２０の持玉情報更新部２３ｂへ乗入元レートとともに乗入指示要求を送信する処理を行う処理部である。また、乗入指示部１５ｃは、持玉情報更新部２３ｂから持玉情報の更新完了通知を受信したならば、乗り入れしてパチンコ玉を払出すよう持玉払出部１５ｄへ指示する。
【００７１】
持玉払出部１５ｄは、乗り入れするか否かの指示を受け付けた場合、指示に基づいてパチンコ玉の払出処理を行う処理部である。また、持玉払出部１５ｄは、パチンコ玉が払出された貸出レートに対応する持玉数の残数を表示操作部１３へ表示する処理を併せて行う。
【００７２】
なお、遊技客の獲得したパチンコ玉を計数する各台計数機能を有する場合の各台装置１０によって構成するよう説明したが、各台装置１０にパチンコ玉を計数する機能は必ずしもある必要はない。
【００７３】
つぎに、管理装置２０の構成について説明する。管理装置２０は、通信Ｉ／Ｆ２１と、記憶部２２と、制御部２３とを備えている。また、制御部２３は、持玉情報送信部２３ａと、持玉情報更新部２３ｂと、貯玉指示部２３ｃとをさらに備えており、記憶部２２は、持玉情報２２ａと、設定情報２２ｂとを記憶する。
【００７４】
通信Ｉ／Ｆ２１は、ＬＡＮカード等の通信デバイスで構成されており、ＬＡＮ（Local  Area  Network）等のネットワーク経由で、各台装置１０、貯玉管理装置３０および遊技店内に設置された各種機器との間のデータ送受信を行う。たとえば、通信Ｉ／Ｆ２１は、各台装置１０からカードＩＤとともに乗入指示要求を受信する。
【００７５】
記憶部２２は、不揮発性メモリやハードディスクドライブといった記憶デバイスで構成される記憶部である。この記憶部２２は、カードＩＤに関連付けて貸出レートごとに持玉数を持玉情報２２ａとして記憶する。
【００７６】
また、持玉情報２２ａは、カードＩＤに関連付けて残額を記憶する。さらに、記憶部２２は、乗り入れに関する条件を設定情報２２ｂとして記憶する。なお、持玉情報２２ａおよび設定情報２２ｂの詳細については後述することとする。
【００７７】
持玉情報送信部２３ａは、持玉情報取得部１５ａからカードＩＤを受け付けたならば、カードＩＤに関連付けられた持玉情報２２ａおよび設定情報２２ｂを検索し、各台装置１０へ送信する処理を行う処理部である。
【００７８】
持玉情報更新部２３ｂは、乗入指示部１５ｃから受信したカードＩＤおよび乗入元レートに基づいて持玉情報２２ａを更新し、正常に更新が完了したならば、更新完了通知を各台装置１０へ送信する処理を行う処理部である。なお、持玉情報更新部２３ｂは、乗り入れしない持玉払出処理時や、持玉計数時にも、持玉情報２２ａを更新する。
【００７９】
貯玉指示部２３ｃは、遊技店の閉店後の処理として、持玉情報２２ａに記憶される会員の持玉数を、貯玉へ移行するよう貯玉管理装置３０の貯玉処理部３３ａへ指示を送信する処理を行う処理部である。具体的には、貯玉指示部２３ｃは、持玉情報２２ａから会員のカードＩＤを検索し、該当する持玉情報２２ａを貯玉移行指示とともに貯玉処理部３３ａへ送信する。
【００８０】
つづいて、貯玉管理装置３０の構成について説明する。貯玉管理装置３０は、通信Ｉ／Ｆ３１と、記憶部３２と、制御部３３とを備えている。また、制御部３３は、貯玉処理部３３ａをさらに備えており、記憶部３２は、貯玉情報３２ａを記憶する。
【００８１】
通信Ｉ／Ｆ３１は、ＬＡＮカード等の通信デバイスで構成されており、ＬＡＮ等のネットワーク経由で、各台装置１０、管理装置２０および遊技店内に設置された各種機器との間のデータ送受信を行う。たとえば、通信Ｉ／Ｆ３１は、管理装置２０から持玉情報２２ａとともに貯玉移行指示を受信する。
【００８２】
記憶部３２は、不揮発性メモリやハードディスクドライブといった記憶デバイスで構成される記憶部である。この記憶部３２は、会員識別子に関連付けて貸出レートごとに貯玉数を貯玉情報３２ａとして記憶する。
【００８３】
貯玉処理部３３ａは、貯玉指示部２３ｃから受信した持玉情報２２ａのカードＩＤに対応する貸出レートごとの持玉数を貯玉情報３２ａに記憶される貸出レートごとの貯玉数へそれぞれ加算することによって貯玉処理を行う処理部である。
【００８４】
なお、管理装置２０と貯玉管理装置３０とを併設し、管理装置２０と貯玉管理装置３０とを別々の管理装置で管理するシステムに対して本発明を適用した場合について説明した。しかし、持玉情報２２ａと貯玉情報３２ａとを単一の装置で管理する遊技媒体管理システムに対して本発明を適用することとしてもよい。また、持玉情報２２ａの持玉数に関する情報とプリペイド残額に関する情報とを別々の装置で管理することとしてもよい。
【００８５】
つぎに、本実施例に係る遊技媒体管理システムの構成について図４を用いて説明する。図４は、本実施例に係る遊技媒体管理システムのシステム構成図である。
【００８６】
図４に示すように、遊技店に設置された管理装置２０および貯玉管理装置３０には、ＬＡＮ等のネットワーク経由で、島コントローラ５０と、島端計数機６０と、精算機７０と、景品管理装置８０と、カード・携帯処理機９０とが接続されている。
【００８７】
また、島コントローラ５０の配下には、複数組の各台装置１０およびパチンコ機４０が接続されている。なお、図４には、２台の島コントローラ５０のみを示しているが、管理装置２０には所定数の島コントローラ５０が接続されるものとする。また、各台装置１０は、島コントローラ５０と各パチンコ機４０との間に介在し、一つの島コントローラ５０に対して、所定数の各台装置１０が接続されるものとする。
【００８８】
さらに、遊技島ごとに貸出レートの異なるパチンコ機４０が接続されている。たとえば、図４の左下に示した島コントローラ５０には１円レートのパチンコ機４０が接続される１円コーナーが、図４の中央下に示した島コントローラ５０には４円レートのパチンコ機４０が接続される４円コーナーが混在するものとする。なお、管理装置２０および貯玉管理装置３０については、図２で説明した通りであるので省略することとする。
【００８９】
島コントローラ５０は、遊技島に設けられた一群のパチンコ機４０および各台装置１０を束ねる中継装置である。パチンコ機４０は、パチンコ玉を遊技領域に打ち込んで遊技客がパチンコ遊技を行う装置である。
【００９０】
島端計数機６０は、遊技島端等に設けられ、遊技客が獲得したパチンコ玉を計数し、計数値をパチンコ玉の貸出レートとともにカードや携帯端末に関連付ける。若しくは、島端計数機６０は、計数値および貸出レートをレシートへ印字し、発行する。なお、島端計数機６０は、貸出レートごとに設けることとしてもよいし、パチンコ玉を計数する際、関連付ける貸出レートを選択することができることとしてもよい。
【００９１】
精算機７０は、紙幣挿入部４２に挿入された各種紙幣の残額が会員カードや一般カードに関連付けられている場合に、残額が関連付けられているカードが挿入されると、残額に相当する現金の払出を行う。
【００９２】
また、精算機７０は、紙幣挿入部４２に挿入された各種紙幣の残額が携帯端末に関連付けられている場合には、携帯端末のタッチを受け付けると、残額に相当する現金の払出を行う。
【００９３】
景品管理装置８０は、遊技店内の景品交換カウンタに併設された景品交換用の端末装置であり、図示しない交換玉数管理情報を用いて獲得玉と景品との交換を管理する。なお、交換玉数管理情報は、景品ごとに、景品との交換に要する交換玉数を対応付けた情報である。
【００９４】
ここで、遊技客は、一般カードや会員カードを持参し、カード・携帯処理機９０のカード挿入口へ一般カードや会員カードを挿入した場合に、貯玉または計数値に応じた景品を受け取ることができるものとする。また、景品管理装置８０では、遊技客がレシートを持参し、持参したレシートに印字された計数値によって景品の交換を行うこともできる。
【００９５】
その際、景品交換カウンタ内の従業員が、遊技客により指定された景品に対応する交換ボタンを押下する。交換ボタンの押下を受け付けた景品管理装置８０は、指定された景品に相当する交換玉数を計数値から減算する交換制御を実行する。その後、従業員が手作業によって遊技客に指定された景品を渡すこととなる。なお、特殊景品については、景品管理装置８０に接続される図示しない景品払出機から自動で払出すようにしてもよい。
【００９６】
なお、遊技客の所有する携帯端末を会員カードの替わりとする会員（以下、「携帯会員」と記載する）は、景品交換カウンタへ携帯端末を持参して景品の交換を行うことができる。この場合、携帯会員は、景品管理装置８０に併設されたカード・携帯処理機９０の携帯読取部に携帯端末をタッチすることで、ＩＤｍに関連付けられた貯玉または計数値に応じた景品を受け取ることができる。
【００９７】
つぎに、持玉情報２２ａおよび設定情報２２ｂの詳細について図５〜６を用いて説明する。なお、持玉情報２２ａと持玉情報１４ａとは同一の項目を含む構成であり、設定情報２２ｂと設定情報１４ｂとは同一の情報である。まず、図５を用いて設定情報２２ｂを説明し、つづいて、図６を用いて持玉情報２２ａを説明する。
【００９８】
図５は、設定情報２２ｂの一例を示す図である。図５に示すように、設定情報２２ｂは、「乗入元」項目には「貸出レート」ごとに「手数料」項目と、「優先順位」項目とを含んでおり、さらに、「乗入先」項目は、「レート」項目と、「レート番号」項目とを含んでいる。
【００９９】
「乗入先」項目の「レート」項目は、乗入先すなわちパチンコ機４０の貸出レートであり、「乗入先」項目の「レート番号」項目は、貸出レートに対応する番号である。また、列項目の「貸出レート」である１円レート、２円レートおよび４円レートは、乗入元の貸出レートとなる。
【０１００】
なお、各台装置１０では、「レート番号」によって併設されるパチンコ機４０の貸出レートを認識する。また、「レート番号」ではなく、「レート」によってパチンコ機４０の貸出レートを認識することとしてもよい。
【０１０１】
貸出レートごとの「手数料」項目は、乗入元レートから乗入先レートへ乗り入れる際の乗入手数料であり、また、乗り入れを許可しない場合は、「乗入不可」と設定する。ここでは、乗入可否について「手数料」項目に設定することとしたが、貸出レートごとに、「乗入可否」項目を設け、設定することとしてもよい。
【０１０２】
貸出レートごとの「優先順位」項目は、乗入元レートの優先順である。本実施例に係る遊技媒体管理システムでは、優先順位の高いレートから優先して乗り入れするか否かを判定する。そして、本実施例に係る遊技媒体管理システムでは、当該パチンコ機４０の貸出レートと同じレートの持玉数が払出数に満たない場合に、乗り入れ処理が行われることとなる。
【０１０３】
つづいて、持玉情報２２ａの詳細について図６を用いて説明する。図６は、持玉情報２２ａの一例を示す図である。図６の（Ａ）に示すように、持玉情報２２ａは、「カードＩＤ」項目と、「残額」項目と、貸出レートごとに「持玉数ｎ」項目とを含んでいる。なお、ｎはレート番号を示す。
【０１０４】
「カードＩＤ」項目は、会員カードや一般カードの識別子であり、会員カードまたは一般カードを一意に識別することができる情報である。なお、「カードＩＤ」項目は、会員を識別する会員識別子であってもよいし、携帯会員の場合は、携帯会員が所有する携帯端末のＩＤｍであってもよい。
【０１０５】
「残額」項目は、「カードＩＤ」に関連付けられた残額である。「持玉数ｎ」項目は、貸出レートごとの持玉数であり、計数機能付き各台装置１０または島端計数機６０で計数された遊技客が獲得したパチンコ玉の計数値である。なお、項目名を持玉数１、持玉数２および持玉数３としたが、貸出レートであってもよい。たとえば、１円レート、２円レートおよび４円レートとしてもよい。
【０１０６】
ここで、図６の（Ａ）に示したように、１円レート（持玉数１）の持玉数１０００玉だけが関連付けられたカード（カードＩＤ：００１）が４円レートのパチンコ機に併設される各台装置１０へ挿入された場合について説明する。また、設定情報２２ｂには、１円レートから４円レートへの乗入手数料が１０％、優先順位が３と設定されているとする。
【０１０７】
この場合、各台装置１０では、まず挿入されたカード（カードＩＤ：００１）を受け付け、持玉払出ボタン押下により、持玉によるパチンコ玉の払出指示を受け付けたならば、乗り入れするか否かを判定する。
【０１０８】
具体的には、各台装置１０の乗入判定部１５ｂは、パチンコ機のレート（４円）と同じレートの持玉数（持玉数３、優先順位１）を保有しているか否かを判定する。ここでは、４円の持玉数（持玉数３）が０玉であるので、他のレートから乗り入れすると判定する。
【０１０９】
また、乗入判定部１５ｂは、優先順位の高い順にレートの持玉数を検索し、持玉数がパチンコ玉の払出数以上ある場合に、かかるレートを乗入元レートとして決定し、その旨を表示操作部１３へ報知する。ここでは、優先順位２の２円レートの持玉が存在しないため、優先順位３の１円レートが乗入元レートとして決定されることとなる。
【０１１０】
そして、乗入判定部１５ｂは、表示操作部１３から遊技客による乗入許諾操作を受け付けたならば、管理装置２０の持玉情報更新部２３ｂへカードＩＤおよび乗入元レートとともに乗入指示要求を送信する。
【０１１１】
一方、持玉情報更新部２３ｂは、払出数を、パチンコ機のレートから乗入元レート（１円）へ換算して、乗入手数料に相当するパチンコ玉数とともに保有する持玉数から減算して、持玉情報２２ａを更新する。
【０１１２】
ここでは、１００玉のパチンコ玉の払出を行うとすると、乗入元レートは１円レートと決定されたので、払出数を換算すると、４００玉＝１００玉×４円／１円となる。また、１円レートから４円レートへの乗入手数料は１０％であるので、乗入手数料の１０％を上乗せして減算数を算出すると、減算数は４４０玉＝４００玉＋４００玉×１０％／１００となる。
【０１１３】
そして、持玉情報更新部２３ｂは、１円レートの持玉数１０００玉から算出した減算数である４４０玉を減算し、１円レート（持玉数１）の持玉数を、５６０玉と更新する（図６の（Ｂ）参照）。同時に、各台装置１０は、パチンコ機から１００玉（４円レート）を払出す。
【０１１４】
その後、遊技客がパチンコ機４０で特賞に入賞する等によってパチンコ玉を獲得した場合に、各台装置１０は、遊技客の獲得したパチンコ玉を計数し、計数した計数値を、パチンコ機のレート（４円）に対応する持玉数としてカードへ関連付ける。
【０１１５】
たとえば、図６の（Ｃ）に示したように、４円レートのパチンコ機に併設される各台装置で持玉数２０００玉が計数された場合、挿入されているカード（カードＩＤ００１）へ４円レートの持玉数（持玉数３）として２０００玉関連付けられることとなる。これによって、遊技客は、４円レートの持玉数を保有している間は、１円レートから乗り入れを行わずに、４円レートの持玉数によってパチンコ玉を払出すことができる。
【０１１６】
つぎに、本実施例に係る遊技媒体管理システムが実行する処理について図７、図８を用いて説明する。まず、遊技媒体管理システムが実行する乗入処理について図７を用いて説明する。図７は、各台装置１０および管理装置２０が実行する乗入処理手順の概要を示すシーケンス図である。
【０１１７】
図７に示すように、カードＲ／Ｗ部１２は、持玉数が関連付けられたカードが挿入されたならば（ステップＳ１０１）、カードのカードＩＤの読み込みを行う（ステップＳ１０２）。そして、持玉情報取得部１５ａは、読み込んだカードＩＤとともに持玉情報の取得要求を持玉情報送信部２３ａへ送信する（ステップＳ１０３）。
【０１１８】
一方、管理装置２０の持玉情報送信部２３ａは、持玉情報取得部１５ａから受信したカードＩＤに対応する持玉情報２２ａと設定情報２２ｂとを、持玉情報取得部１５ａへ送信する（ステップＳ１０４）。
【０１１９】
そして、乗入判定部１５ｂは、持玉払出ボタン押下により、持玉によるパチンコ玉の払出指示を受け付けたならば（ステップＳ１０５）、乗り入れするか否かを判定する乗入判定処理を行う（ステップＳ１０６）。なお、乗入判定処理の詳細については、図８を用いて後述することとし、ここでは、乗入判定部１５ｂで乗り入れすると判定され、その旨が表示操作部１３に報知された場合について説明する。
【０１２０】
乗入判定部１５ｂは、ステップＳ１０６の乗入判定処理で乗り入れすると判定され、その後、表示操作部１３から遊技客による乗入許諾操作を受け付けたならば（ステップＳ１０７）、乗入指示部１５ｃは、以下の処理を行う。
【０１２１】
乗入指示部１５ｃは、カードＩＤおよび乗入元レートとともに乗入指示要求を管理装置２０の持玉情報更新部２３ｂへ送信する（ステップＳ１０８）。
【０１２２】
一方、持玉情報更新部２３ｂは、乗入指示要求を受信したならば、受信したカードＩＤおよび乗入元レートに基づいて持玉情報２２ａを更新し（ステップＳ１０９）、更新完了通知を乗入指示部１５ｃへ送信する（ステップＳ１１０）。
【０１２３】
そして、各台装置１０の乗入指示部１５ｃが更新完了通知を受信したならば、持玉払出部１５ｄは、所定の払出数のパチンコ玉を投出し（ステップＳ１１１）、各台装置１０および管理装置２０が実行する一連の乗入処理を終了する。
【０１２４】
つづいて、各台装置１０の乗入判定部１５ｂが実行する乗入判定処理（図７のステップＳ１０６）の詳細について図８を用いて説明する。図８は、各台装置１０が実行する乗入判定処理手順の概要を示すフローチャートである。
【０１２５】
図８に示すように、乗入判定部１５ｂは、持玉情報１４ａを検索し、カードＲ／Ｗ部１２で読み込んだカードに関連付けられた持玉数があるか否かを判定する（ステップＳ２０１）。
【０１２６】
そして、乗入判定部１５ｂは、持玉数なしであった場合（ステップＳ２０１，Ｙｅｓ）、設定情報１４ｂに設定された優先順位の高い順に持玉数があるか否かを判定するため、現在の判定優先順位を次に高い２と設定する（ステップＳ２０２）。
【０１２７】
つづいて、乗入判定部１５ｂは、判定優先順位であるレートの持玉数があるか否かを判定し（ステップＳ２０３）、持玉数ありと判定された場合（ステップＳ２０３，Ｙｅｓ）、乗り入れすると判定する（ステップＳ２０４）。
【０１２８】
そして、乗入判定部１５ｂは、乗入元レートとともに乗り入れする旨を表示操作部１３へ報知して（ステップＳ２０５）、各台装置１０が実行する一連の乗入判定処理を終了する。
【０１２９】
一方、乗入判定部１５ｂは、ステップＳ２０１で、持玉数がありの場合には（ステップＳ２０１，Ｎｏ）、乗り入れしないと判定し（ステップＳ２０８）、一連の移行判定処理を終了する。
【０１３０】
また、乗入判定部１５ｂは、ステップＳ２０３で、判定優先順位であるレートの持玉数がないと判定された場合（ステップＳ２０３，Ｎｏ）、次の優先順位があるか否かを判定する（ステップＳ２０６）。
【０１３１】
そして、乗入判定部１５ｂは、ステップＳ２０６で、次の優先順位があると判定された場合（ステップＳ２０６、Ｙｅｓ）、次の優先順位を判定優先順位へ設定し（ステップＳ２０７）、ステップＳ２０３へ処理を移行する。一方、乗入判定部１５ｂは、ステップＳ２０６で、次の優先順位がないと判定された場合（ステップＳ２０６、Ｎｏ）、ステップＳ２０８へ処理を移行する。
【０１３２】
このように、本実施例に係る遊技媒体管理システムは、記録媒体の識別子に関連付けて遊技客が保有する遊技媒体の数を示す持玉数を遊技媒体の貸出レートごとに記憶し、記録媒体の識別子を各台装置が取得し、取得された記録媒体の識別子に基づいて記憶される持玉数を各台装置が取得し、取得された持玉数に基づいて遊技媒体の払出を各台装置が行い、当該各台装置の貸出レートに対応する持玉数が所定の払出数に満たない、かつ、所定の条件を満たす場合に、他の貸出レートに対応する持玉数に基づいて遊技媒体の払出を行うよう乗入を指示することとした。
【０１３３】
このようにすることで、本実施例に係る遊技媒体管理システムによれば、非会員の遊技客であっても、記録媒体に関連付けられた持玉数の貸出レートとは異なる貸出レートの遊技台での再プレイすること、すなわち、乗り入れ再プレイすることができる。
【０１３４】
なお、上述した実施例では、乗入判定処理を各台装置１０で行うこととしたが、他の装置、たとえば、管理装置２０や島コントローラ５０で行うこととしてもよい。また、持玉情報２２ａを管理装置２０で更新／管理することとしたが、他の装置、たとえば、島コントローラ５０や各台装置１０で管理することとしてもよい。
【０１３５】
また、上述した実施例では、乗入元から乗入先への乗入手数料を設定して、乗入手数料に相当するパチンコ玉数を持玉数から減算することとした。しかし、管理装置２０等で、カードＩＤに関連付けて乗り入れの履歴を取得し、乗り入れ履歴によって乗入手数料を変更可能にしてもよい。
【０１３６】
たとえば、４円レートのパチンコ機４０で再プレイする際、１円レートから乗り入れ、その後、２円レートのパチンコ機４０で再プレイする際、４円レートから乗り入れた場合には、乗入手数料を５％に設定する。
【０１３７】
また、上述した実施例では、１回の払出ごとに乗入手数料を徴収していたが、所定乗り入れ数によって手数料を設定してもよい。たとえば、同一カードで再プレイ中に、１０回乗り入れが行われた後は、乗入手数料は無料にする等の設定をする。
【０１３８】
また、上述した実施例では、表示操作部１３は、遊技客によって挿入されたカードのカードＩＤに関連付けられた持玉数や貯玉数を貸出レートごとに表示することとした。しかし、各台装置では、各レートの持玉数を所定の基準となるレートに基づいて換算し、合算した値を表示することとしてもよい。
【０１３９】
たとえば、４円レートのパチンコ機４０で再プレイする際には、カードＩＤに関連付けられた各レートの持玉数を、すべて４円レートに換算し、各レートの換算値の合計を表示する。これによって、遊技客は、４円レートのパチンコ機４０で再プレイすることが可能なパチンコ玉数を瞬時に視認することができる。
【０１４０】
また、上述した実施例では、パチンコ遊技に適用する例を説明したが、パチスロ遊技を対象としてさらに含めた場合、または、パチスロ遊技のみを対象とした場合にも同様に適用することができる。なお、ここでは、パチンコ店に本発明を適用する例を説明したが、本発明はこれに限定されるものではなく、ゲームセンタ等の遊技施設にも同様に適用することができる。
【産業上の利用可能性】
【０１４１】
以上のように、本発明に係る遊技媒体管理システムは、複数種類の貸出レートによる遊技媒体の貸出を行っている遊技店で有用であり、特に、遊技店の会員のみならず一般客をも満足させるサービスを提供させたい場合に適している。
【符号の説明】
【０１４２】
１０    各台装置
１１    通信Ｉ／Ｆ
１２    カードＲ／Ｗ部
１３    表示操作部
１４    記憶部
１４ａ  持玉情報
１４ｂ  設定情報
１５    制御部
１５ａ  持玉情報取得部
１５ｂ  乗入判定部
１５ｃ  乗入指示部
１５ｄ  持玉払出部
２０    管理装置
２１    通信Ｉ／Ｆ
２２    記憶部
２２ａ  持玉情報
２２ｂ  設定情報
２３    制御部
２３ａ  持玉情報送信部
２３ｂ  持玉情報更新部
２３ｃ  貯玉指示部
３０    貯玉管理装置
３１    通信Ｉ／Ｆ
３２    記憶部
３２ａ  貯玉情報
３３    制御部
３３ａ  貯玉処理部
４０    パチンコ機
４１    状態表示部
４２    紙幣挿入部
４４    持玉払出部
４５    携帯読取部
４６    玉計数部
４７    玉貯留部
４８    下皿
４９    上皿
５０    島コントローラ
６０    島端計数機
７０    精算機
８０    景品管理装置
９０    カード・携帯処理機
【図１】
0005632211.tif 000002
【図２】
0005632211.tif 000003
【図３】
0005632211.tif 000004
【図４】
0005632211.tif 000005
【図５】
0005632211.tif 000006
【図６】
0005632211.tif 000007
【図７】
0005632211.tif 000008
【図８】
0005632211.tif 000009